(57)【要約】【課題】溝蓋で蓋をすると自動的にロックがかかり、定期点検等で溝蓋を引き上げると、その引き上げに連動してロックが自動解除される溝蓋用外れ止め装置を提供する。【解決手段】基端部を溝蓋2に軸支させ、該基端部から先端部へと帯板状又は棒状に延びる本体主部に係る該先端部から、鉤部分722が前方へ張り出すと共に、鉤部分72とは反対側の本体主部背面から突出部723が後方へ延在した外れ止め部材72と、溝蓋上面2aと板面を平行に配して溝蓋2に固着される受板片28の上面側に、把手の握り部291を露出させ、受板片28に設けた抜孔280へ遊挿された把手のステー292に介挿され、受板片28の下方側に配されるコイルバネ54と、ステー292の下端部へ、突出部723を回動自在に動けるようにして接続させる接続具73と、を具備する。【選択図】図１
2016011572.tif 000002
【特許請求の範囲】
【請求項１】
基端部(72a)を溝蓋(2)に回動自在に軸支させ、該基端部(72a)から先端部(72b)へと帯板状又は棒状に延びる本体主部に係る該先端部(72b)から、正面視Ｌ字形に鉤部分(722)が前方へ張り出すと共に、該鉤部分(722)とは反対側の本体主部背面から突出部(723)が後方へ延在した外れ止め部材(72)と、
溝蓋上面(2a)と板面を平行に配して溝蓋(2)に固着される受板片(28)の上面側に、把手(29)の握り部(291)を露出させ、該受板片(28)に設けた抜孔(280)へ遊挿された該把手(29)のステー(292)に介挿され、該受板片(28)の下方側に配されるコイルバネ(54)と、
該ステー(292)の下端部へ、前記突出部(723)を回動自在に動けるようにして接続させる接続具(73)と、を具備し、
前記コイルバネ(54)の弾性付勢力で、前記外れ止め部材(72)の本体主部が垂下状態になって、前記鉤部分(722)が集水枡(9)又は側溝の側壁面(91a)に固定した突状被係止具(82)の下面側へ潜り込んで該被係止具(82)に係止する一方、該コイルバネ(54)の弾性付勢力に抗して前記握り部(291)を引き上げることにより、前記突出部(723)が引き上げられて、前記外れ止め部材(72)が基端部(72a)を支点に回動し、前記被係止具(82)から前記鉤部分(722)が離れるようにしたことを特徴とする溝蓋用外れ止め装置。
【請求項２】
棒状の前記握り部(291)と、該握り部(291)の両端から折曲して延在した一対のステー(292)と、で前記把手(29)をコ字状に形成すると共に、前記コイルバネ(54)を介挿した両ステー(292)の下端部同士をつなぐ連結バー(52)を、さらに具備し、該連結バー(52)へ逆Ｕ字形板片からなる前記接続具(73)が上方側から跨ぎ、且つ前記突出部(723)に設けた通孔(720)に挿通した軸体(74)の両端が、該連結バー(52)よりも下方に配された該接続具(73)に係る逆Ｕ字形した両板片の下部にそれぞれ固定された請求項１に記載の溝蓋用外れ止め装置。
【請求項３】
前記外れ止め部材(72)が前記本体主部と突出部(723)とで正面視Ｔ字形になる板体片からなり、且つその基端部(72a)の板面を垂直貫通して該外れ止め部材(72)と一体化する軸部材(71)の両端部が、溝蓋(2)に固着した一対の軸受(61)に係る軸穴(610)にそれぞれ挿置されて、該外れ止め部材(72)の基端部(72a)を該軸受(61)に回動自在に軸支させた請求項１又は２に記載の溝蓋用外れ止め装置。
【発明の詳細な説明】
【技術分野】
【０００１】
集水枡や側溝等の排水口には溝蓋で蓋がされるが、本発明はこの溝蓋用外れ止め装置に関する。
【背景技術】
【０００２】
例えば車両が走行する路面に、側溝や雨水を排水路へ導くための集水枡等が設けられる場合があり、側溝や集水枡の上面開口の排水口には溝蓋で蓋がされる。この溝蓋は自重で外れ難くなっているが、時に車両走行に伴って跳ね上がったり外れたりする問題があり、これを防止する発明が提案されてきた（例えば特許文献１,２）。
【先行技術文献】
【特許文献】
【０００３】
【特許文献１】特開２００９−４１２１４号公報
【特許文献２】特開２００１−４０７５４号公報
【発明の開示】
【発明が解決しようとする課題】
【０００４】
しかるに、特許文献１,２のグレーチング蓋外れ止め装置は、双方とも専用のハンドルを使用して、外れ止めを防止する構造である。さらに、定期点検等で排水口からグレーチング蓋を取り外す際、また専用のハンドルを使用してロックを解除してからでないと、グレーチングが外せなかった。専用のハンドルを用いた余分な作業が必要になっていた。
【０００５】
本発明は上記問題点を解決するもので、溝蓋で蓋をすると自動的にロックがかかり、定期点検等で溝蓋を引き上げると、その引き上げに連動してロックが自動解除される溝蓋用外れ止め装置を提供することを目的とする。
【課題を解決するための手段】
【０００６】
上記目的を達成すべく、請求項１に記載の発明の要旨は、基端部(72a)を溝蓋(2)に回動自在に軸支させ、該基端部(72a)から先端部(72b)へと帯板状又は棒状に延びる本体主部に係る該先端部(72b)から、正面視Ｌ字形に鉤部分(722)が前方へ張り出すと共に、該鉤部分(722)とは反対側の本体主部背面から突出部(723)が後方へ延在した外れ止め部材(72)と、溝蓋上面(2a)と板面を平行に配して溝蓋(2)に固着される受板片(28)の上面側に、把手(29)の握り部(291)を露出させ、該受板片(28)に設けた抜孔(280)へ遊挿された該把手(29)のステー(292)に介挿され、該受板片(28)の下方側に配されるコイルバネ(54)と、該ステー(292)の下端部へ、前記突出部(723)を回動自在に動けるようにして接続させる接続具(73)と、を具備し、前記コイルバネ(54)の弾性付勢力で、前記外れ止め部材(72)の本体主部が垂下状態になって、前記鉤部分(722)が集水枡(9)又は側溝の側壁面(91a)に固定した突状被係止具(82)の下面側へ潜り込んで該被係止具(82)に係止する一方、該コイルバネ(54)の弾性付勢力に抗して前記握り部(291)を引き上げることにより、前記突出部(723)が引き上げられて、前記外れ止め部材(72)が基端部(72a)を支点に回動し、前記被係止具(82)から前記鉤部分(722)が離れるようにしたことを特徴とする溝蓋用外れ止め装置にある。
請求項２の発明たる溝蓋用外れ止め装置は、請求項１で、棒状の前記握り部(291)と、該握り部(291)の両端から折曲して延在した一対のステー(292)と、で前記把手(29)をコ字状に形成すると共に、前記コイルバネ(54)を介挿した両ステー(292)の下端部同士をつなぐ連結バー(52)を、さらに具備し、該連結バー(52)へ逆Ｕ字形板片からなる前記接続具(73)が上方側から跨ぎ、且つ前記突出部(723)に設けた通孔(720)に挿通した軸体(74)の両端が、該連結バー(52)よりも下方に配された該接続具(73)に係る逆Ｕ字形した両板片の下部にそれぞれ固定されたことを特徴とする。
請求項３の発明たる溝蓋用外れ止め装置は、請求項１又は２で、外れ止め部材(72)が前記本体主部と突出部(723)とで正面視Ｔ字形になる板体片からなり、且つその基端部(72a)の板面を垂直貫通して該外れ止め部材(72)と一体化する軸部材(71)の両端部が、溝蓋(2)に固着した一対の軸受(61)に係る軸穴(610)にそれぞれ挿置されて、該外れ止め部材(72)の基端部(72a)を該軸受(61)に回動自在に軸支させたことを特徴とする。
【発明の効果】
【０００７】
本発明の溝蓋用外れ止め装置は、簡易構造ながら、溝蓋で蓋をしてロックするのを忘れた場合でも、溝蓋で蓋をすると自動的にロックがかかるので、専用ハンドルによる作業が不要で、安全性向上に貢献でき、一方、定期点検等で把手を引き上げると、その動作でロックが解除されるので、作業性向上等に優れた効果を発揮する。
【図面の簡単な説明】
【０００８】
【図１】本発明の溝蓋用外れ止め装置の一形態で、その外れ止め装置を組付けた溝蓋の平面図である。
【図２】図１のII-II線矢視図である。
【図３】図１,図２のIII-III線矢視図で、外れ止め装置,把手周りの部分拡大図である。
【図４】図３の状態から握り部を手で引き上げた時の外れ止め装置の部分拡大図である。
【図５】図３のV-V線矢視図である。
【図６】図３のVI-VI線矢視図である。
【発明を実施するための形態】
【０００９】
以下、本発明に係る溝蓋用外れ止め装置について詳述する。
図１〜図６は本発明の溝蓋用外れ止め装置（以下、単に「外れ止め装置」ともいう。）の一形態で、図１はその外れ止め装置を組付けた溝蓋の平面図、図２は図１のII-II線矢視図、図３は図１のIII-III線矢視図で、外れ止め装置,把手周りの部分拡大図、図４は図３の状態から握り部を手で引き上げた時の外れ止め装置の部分拡大図、図５は図３のV-V線矢視図、図６は図３のVI-VI線矢視図を示す。尚、図面を判り易くするため、断面を示すハッチングを一部省略する。
【００１０】
本実施形態は、集水枡９の上面開口に蓋をする図１,図２ごとくの開閉蓋に適用する。開閉蓋は、一対の盤状溝蓋２と、各溝蓋２の端板２５に設けられ溝蓋２の回動操作で一体的に回動する筒部材３１と、一対の板状部材１０と四角筒部材１１とで四方を取り囲む枠部材を形成し、前記筒部材３１に遊挿した軸材３２の両端部を各四角筒部材１１に設けた孔１１０に挿置させる開口枠１と、を具備する。該開口枠１に係る四角筒部材１１の下面に受板１３が、図３のごとくその開口枠１内へ張り出すようにして固着され、該受板１３の下面に嵩上げ部材１４が固着される。
【００１１】
そして、集水枡９の側部９１の上部段差面９２上に水平部９９１が載置固定され、垂直部９９２の上縁が地面ＧＬと面一になるＬ形外板でつくる四角枠９９が設けられ、この四角枠９９に図１,図３のごとく開閉蓋が収まる。開閉蓋の嵩上げ部材１４が、側部９１の上部段差面９２に配した水平部９９１に載る。開閉蓋の両溝蓋２は、それぞれ、一側が軸材３２で支持され、他側が前記受板１３に載って水平になり、集水枡９の上面開口に蓋をする。上面開口の状態から溝蓋２で蓋をすると、本外れ止め装置４により自動的にロックされる(詳細後述)。
一方、点検等で両溝蓋２を開ける時は、把手２９を手で引き上げることにより、両溝蓋２が図２のごとく観音開きに開いて、集水枡９の上面開口が現れる。把手２９の引き上げに連動して、把手２９に接続させた外れ止め部材７２によってロックが自動的に解除される(詳細後述)。
溝蓋２はメインバー２１とクロスバー２２で格子状体を形成し、その周囲を側板２４と端板２５とで囲って矩形盤状体にしたものである。符号２０はスリット、符号２１ｂはメインバー２１を構成する縦桟、符号２６は底板を示す。符号３は筒部材３１と軸材３２からなる支軸部を示す。
【００１２】
外れ止め装置４は、溝蓋２の下面側に取付けられ、外れ止め部材７２とコイルバネ５４と接続具７３とを具備する。
外れ止め部材７２は、基端部７２ａを溝蓋２の下面側に回動自在に軸支させ、該基端部７２ａから先端部７２ｂへと帯板状(又は棒状)に延びる本体主部に係る該先端部７２ｂから、正面視Ｌ字形に鉤部分７２２が前方へ張り出すと共に、該鉤部分７２２とは反対側の本体主部背面から突出部７２３が後方へ延在した外れ止め装置４の主要部材である(図３〜図５)。本発明でいう「鉤部分７２２が前方へ張り出す」の前方とは、突状被係止具８２が固着された集水枡９又は側溝の側壁面９１ａへ向かう方を指す。
ここでの外れ止め部材７２は、本体主部と突出部７２３とで図３ごとくの正面視Ｔ字形になる板体片を形成する。そして、本体主部の基端部７２ａの板面を垂直貫通する軸部材７１と一体化する。外れ止め部材７２と一体化する軸部材７１の両端部が、溝蓋２に固着した一対の軸受６１に係る軸穴６１０にそれぞれ挿置されて、該外れ止め部材７２の基端部７２ａを該軸受６(溝蓋２)に回動自在に軸支させている。図６のごとく、一対の軸受６１の軸穴６１０が対向するようにして、それぞれの軸受６１を保持する取付片６２を、溝蓋２のメインバー２１を構成する二つのＩ型鋼２１ａにそれぞれ固定する。軸部材７１の両端部が軸穴６１０に収められ、軸部材７１を中心にして、外れ止め部材７２を回動自在にする。
【００１３】
コイルバネ５４は、受板片２８に設けた抜孔２８０へ遊挿された把手２９のステー２９２に介挿され、該受板片２８の下方側に配される弾性部材である。把手２９は、棒状の握り部２９１と、該握り部２９１の両端から折曲して延在した一対のステー２９２と、でコ字状に形成する。溝蓋上面２ａと板面を平行に配して溝蓋２に固着される受板片２８の上面側に、把手２９の握り部２９１を露出させ、受板片２８の抜孔２８０にステー２９２が遊挿される。本発明でいう「下方」とは、集水枡９又は側溝の上面開口を溝蓋２で蓋をした図３の状態で、紙面下方を指し、「溝蓋上面２ａ」や「板面を平行に配して溝蓋２に固着される受板片２８の上面側」の「上面」とは、図３の状態で、溝蓋２の紙面上方側に位置する面や受板片２８の紙面上方側に位置する面を指す。
受板片２８は、図１,図３で、クロスバー２２と平行配設した立板片２７の下縁に固着し、溝蓋上面２ａよりも少し下方位置に取付けられている。把手２９の握り部２１の軸径よりも溝蓋上面２ａから受板片２８までの深さの方が大きい。車両走行で、握り部２９１へ外力が加わらないようにしている。受板片２８よりも下方側に突き出た一対のステー２９２に環板片５１とコイルバネ５４を図３のごとくそれぞれ介挿して、さらに両ステー２９２の下端部同士をつなぐ連結バー５２を装着後、ステー２９２の下端部にナット５３を螺着する。連結バー５２の両端部に設けた孔にステー２９２を挿通させ、ステー２９２の下端部に設けた螺子部にナット５３を螺着固定する。ナット５３に挟着された連結バー５２が、コイルバネ５４を介挿した両ステー２９２の下端部同士をつなぐ。符号５２１は連結バー５２の長手方向中央で下方へ張り出す膨出部を示す。こうして、コイルバネ５４は受板片２８,環板片５１とナット５３とに圧縮状態で挟まれ、該コイルバネ５４の弾性付勢力によって、通常、図３のごとくステー２９２の大半を受板片２８の下方に配して、握り部２９１が受板片２８に当接状態となる。したがって、不用意に握り部２９１が持ち上がることはない。
【００１４】
接続具７３は、ステー２９２の下端部へ、前記突出部７２３を回動自在に動けるようにして接続させる金属製部材である。本接続具７３は逆Ｕ字形の板片からなる。ステー２９２の下端部に取付けた前記連結バー５２の下方膨出部５２１へ、この逆Ｕ字形した接続具７３が上方側から跨ぐ。そして、突出部７２３の先端部分に設けた通孔７２０に挿通したボルトからなる軸体７４が、連結バー５２よりも下方に配された接続具７３に係る逆Ｕ字形した両板片の下部に設けた孔を貫通し、且つ板片の外へ出た軸体７５のその先端部が、ナット７５で螺着固定される。軸体７４の両端が、図５のごとく連結バー５２よりも下方に配された接続具７３に係る逆Ｕ字形した両板片の下部にそれぞれ固定される。該軸体７４に通孔７２０を挿通させた突出部７２３が回動自在に保持される。
【００１５】
そうして、コイルバネ５４の弾性付勢力で、前記外れ止め部材７２の本体主部が図３,図５ごとくの垂下状態になって、鉤部分７２２が集水枡９(又は側溝)の側壁面９１ａに固着した突状被係止具８２の下面側へ潜り込んで該被係止具８２に係止する構成とする。集水枡９の上面開口を溝蓋２で蓋をした図３の状態下で、溝蓋２の上を車両が走行して溝蓋２に跳ね上がる力が加えられても、鉤部分７２２が被係止具８２の下面側に潜り込んでいるので、鉤部分７２２が該被係止具８２によって上方への動きを止められ、溝蓋２の上動が阻止される。
一方、図３の状態から、該コイルバネ５４の弾性付勢力に抗して握り部２９１を引き上げることにより、握り部２９１に連結する突出部７２３も引き上げられて、外れ止め部材７２が基端部７２ａ(正確には軸部材７１)を支点に回動し、被係止具８２から鉤部分７２２が離れて係止が解除される構成である。握り部２９１を引き上げると、そのステー２９２に連結バー５２,接続具７３,軸体７４を介して突出部７２３がつながっているので、図３の状態から突出部７２３の接続具７３側先端部分が引き上げられて、外れ止め部材７２が軸部材７１を中心にして図４のごとく時計回りに回動し、鉤部分７２２が被係止具８２から離れる。鉤部分７２２が被係止具８２から離れれば、鉤部分７２２が被係止具８２によって止められることはなく、握り部２９１をそのまま引き上げ、集水枡９の上面開口に蓋をしていた溝蓋２を図２のように観音開きに開けることができる。専用ハンドル等を使って、被係止部に係止していた鉤部分７２２を解除させる操作を要しない。
【００１６】
集水枡９の側壁面９１ａには、プレート８１を介して図３ごとくの下面側を略水平にした側面視三角形した突状被係止具８２が固定されている。側壁面９１ａに固着した被係止具８２は、立板片８２１と傾板片８２２とで、該側壁面９１ａに対し下降傾斜する傾斜面を形成する。
本実施形態は、集水枡９の上面開口に蓋をする図示ごとくの開閉蓋の両溝蓋２に外れ止め装置４を設けたが、例えば側溝の上面開口に蓋をする溝蓋２等にも適用できる。斯かる場合、溝蓋２を上面開口へ下ろして蓋をする過程で、図３の被係止具８２の傾斜面を鉤部分７２２が滑るようにして、被係止具８２の下面側へ潜り込み、これと一体の外れ止め装置４,溝蓋２も下降して、該溝蓋２で側溝の上面開口に蓋をする格好になる。
図中、符号５は連結バー５２や環板片５１等の把手２９への取付具、符号６は軸受６１,取付片６２等の溝蓋６への取付具、符号７は軸部材７１,外れ止め部材７２等の可動体、符号８はプレート８１,被係止具８２等の集水枡９への固定具、符号ＷＤは溶接部分、符号９０は排水路を示す
【００１７】
このように構成した溝蓋用外れ止め装置４は、外れ止め部材７２とコイルバネ５４と接続具７３と、を具備して、コイルバネ５４の弾性付勢力で、外れ止め部材７２の本体主部が垂下状態になって、鉤部分７２２が集水枡９又は側溝の側壁面９１ａに固着した突状被係止具８２の下面側へ潜り込んで被係止具８２に係止するので、上方へ向かう外力に対し、鉤部分７２２が被係止具８２に当たって阻止される。溝蓋２上を車両走行で跳ね上がったり外れたりする外力が加えられても、鉤部分７２２でロック状態になっており、溝蓋２の外れ防止にいかんなく威力を発揮する。
そして、コイルバネ５４の弾性付勢力で、外れ止め部材７２の本体主部を垂下状態にし、さらに基端部７２ａの板面を垂直貫通する軸部材７１の両端部が溝蓋２に固着した軸受６１の軸穴６１０に挿置されて、外れ止め部材７２の基端部７２ａを溝蓋２に回動自在に軸支させているので、溝蓋２で蓋をすると、図３のように外れ止め部材７２の鉤部分７２２が被係止具８２に係止して自動的にロックがかかる。コイルバネ５４の弾性付勢力が存在するため、握り部２９１の地点を集中的に上動させる図４のような作業者による力を加えない限り、溝蓋２が跳ね上がったり外れたりすることはない。
【００１８】
一方、把手２９のステー２９２の下端部へ、接続具７３を用いて、外れ止め部材７２の突出部７２３を回動自在に動けるようにして接続させているので、握り部２９１の地点を集中的に上動させる図４のような作業者等による力を加えれば、外れ止め部材７２が基端部７２ａを支点に回動し、被係止具８２から鉤部分７２２が離れることとなり、係止を解除できる。定期点検等で溝蓋２に取付けた把手２９を引き上げると、その動きに連動して、被係止具８２への鉤部分７２２のロックが自律的に解除される極めて優れものになっている。
【００１９】
さらにいえば、溝蓋用外れ止め装置４は、既述のごとくその構造が比較的シンプルにして低コストで製造可能であるばかりか、蓋をすれば自動的にロックがかかるフールプルーフになっているので、安全性向上にも貢献する。
このように、本発明の溝蓋用外れ止め装置４は、特許文献１,２のごとく、専用のハンドルを用意して、溝蓋２で蓋をする際だけでなく、蓋がされた状態から溝蓋２を外す際にも、ハンドルを用いた作業が必要であった労力負担から開放され、加えて、安全性向上,低コスト化等の観点からも多大な効を奏する。
【００２０】
尚、本発明においては前記実施形態に示すものに限られず、目的,用途に応じて本発明の範囲で種々変更できる。溝蓋２,把手２９,連結バー５２,コイルバネ５４,軸受６１,軸部材７１,外れ止め材,鉤部分７２２,突出部７２３,接続具７３,被係止具８２,集水枡９等の形状,大きさ,個数,材質等は用途に合わせて適宜選択できる。例えば、実施形態は開閉蓋を構成する溝蓋２に本外れ止め装置４を適用したが、側溝の上面開口に蓋をするグレーチングの溝蓋２に本外れ止め装置４を適用することも勿論できる。
【符号の説明】
【００２１】
２              溝蓋
２ａ            上面
２８            受板片
２８０          抜孔
２９            把手
２９１          握り部
２９２          ステー
４              外れ止め装置（溝蓋用外れ止め装置）
５１            連結バー
５４            コイルバネ
６１            軸受
６１０          軸穴
７１            軸部材
７２            外れ止め部材
７２ａ          基端部
７２ｂ          先端部
７２０          鉤部分
７２３          突出部
７３            接続具
７４            軸体
９              集水枡（側溝）
９１ａ          側壁面
【図１】
2016011572.tif 000003
【図２】
2016011572.tif 000004
【図３】
2016011572.tif 000005
【図４】
2016011572.tif 000006
【図５】
2016011572.tif 000007
【図６】
2016011572.tif 000008